(57)【要約】【課題】ドアの外側からドアスコープを取り外しにくくするとともに、例えば表札等の物品を保持することができるようにする。【解決手段】板状の本体部１３を備え、この本体部１３に、ドア２の外側から取り付けられるドアスコープ１の内筒３を挿通可能な孔１４と、物品保持用の掛止部１５とが設けられ、前記内筒３の端部に形成されたフランジ部８とドア２の外面の間に前記本体部１３が挟まれて保持される物品保持部材５において、前記孔１４の周りに、前記フランジ部８を囲繞する周壁１９が形成されている。【選択図】図１
2004183478.tif 000002
【特許請求の範囲】
【請求項１】
板状の本体部（１３）を備え、この本体部（１３）に、ドア（２）の外側から取り付けられるドアスコープ（１）の内筒（３）を挿通可能な孔（１４）と、物品保持用の掛止部（１５）とが設けられ、前記内筒（３）の端部に形成されたフランジ部（８）とドア（２）の外面の間に前記本体部（１３）が挟まれて保持される物品保持部材（５）において、
前記孔（１４）の周りに、前記フランジ部（８）を囲繞する周壁（１９）が形成されていることを特徴とする物品保持部材。
【請求項２】
前記孔（１４）の周りには、前記フランジ部（８）を収納する凹部（１８）が形成され、この凹部（１８）の側壁が前記周壁（１９）であることを特徴とする請求項１に記載の物品保持部材。
【請求項３】
外周に雄ねじ部（９）が形成された内筒（３）と、前記雄ねじ部（９）が螺合可能な雌ねじ部（１１）が内周に形成された外筒（４）とを備え、前記内筒（３）を挿通可能な孔（１４）および物品保持用の掛止部（１５）を有するとともに前記内筒（３）の端部に形成されたフランジ部（８）とドア（２）の外面との間に挟まれて保持される物品保持部材（５）を備えたドアスコープ（１）において、
前記物品保持部材（５）は板状の本体部（１３）を備え、前記孔（１４）と掛止部（１５）は互いに離間されて前記本体部（１３）に設けられ、この孔（１４）の周りには前記フランジ部（８）を囲繞する周壁（１９）が設けられていることを特徴とするドアスコープ。
【請求項４】
前記孔（１４）の周りには、前記フランジ部（８）を収納する凹部（１８）が形成され、この凹部（１８）の側壁が前記周壁（１９）であることを特徴とする請求項３に記載のドアスコープ。
【発明の詳細な説明】
【技術分野】
【０００１】
本発明は、ドアに取り付ける物品保持部材およびこの物品保持部材を用いたドアスコープに関するものである。
【背景技術】
【０００２】
従来、ドアスコープ（ドアーアイ）の内筒のフランジ部とドアの壁面によって物品保持部材（具）を挟んでドアに固定する技術がある（例えば、特許文献１参照）。
この従来の技術では、ドアスコープの円形フランジ部が物品保持部材の表面から外方に突出した状態でドアの外側に取り付けられている。
【特許文献１】実開平６−８５８９４号公報（図１）
【発明の開示】
【発明が解決しようとする課題】
【０００３】
上述のように、従来のドアスコープでは、円形のフランジ部が物品保持部材の表面から外方に突出した状態になっているため、例えばペンチ等の工具を用いてこのフランジ部を掴んで回転させることによって取り外されるおそれがある。したがって、いわゆるバイパス解錠行為（ドアスコープを取り外して、その取付孔から工具を挿入してサムターンを回転させて解錠すること）によって住居者以外の者に住居内に侵入されるおそれがあった。。
本発明は上記の事情に鑑みてなされたものであり、ドアの外側からのドアスコープの取り外しを困難にするとともに、例えば表札等の物品を保持することができる物品保持部材を提供することを目的とする。
【０００４】
本発明の他の目的は、取り外しにくく、かつ表札等の物品を保持することができるドアスコープを提供することである。
【課題を解決するための手段】
【０００５】
本発明は上記の目的を達成するために以下の技術的手段を講じた。
すなわち、板状の本体部を備え、この本体部に、ドアの外側から取り付けられるドアスコープの内筒を挿通可能な孔と、物品保持用の掛止部とが設けられ、前記内筒の端部に形成されたフランジ部とドアの外面の間に前記本体部が挟まれて保持される物品保持部材において、前記孔の周りに、前記フランジ部を囲繞する周壁が形成されていることを特徴とする。
これによれば、本体部に、内筒のフランジ部を囲繞する周壁を形成し、フランジ部の外周を囲繞すれば、このフランジ部を掴みにくくすることができ、これによって、ドアスコープをドアの外側から取り外しにくくできる。
【０００６】
また、前記孔の周りには、前記フランジ部を収納する凹部が形成され、この凹部の側壁が前記周壁であることを特徴とする。
これによれば、内筒のフランジ部を凹部に収納することで、この本体部表面からのフランジ部の突出量を小さくできるので、フランジ部を掴んで内筒を取り外すことが困難になる。
また、外周に雄ねじ部が形成された内筒と、前記雄ねじ部が螺合可能な雌ねじ部が内周に形成された外筒とを備え、前記内筒を挿通可能な孔および物品保持用の掛止部を有するとともに前記内筒の端部に形成されたフランジ部とドアの外面との間に挟まれて保持される物品保持部材を備えたドアスコープにおいて、前記物品保持部材は板状の本体部を備え、前記孔と掛止部は互いに離間されて前記本体部に設けられ、この孔の周りには前記フランジ部を囲繞する周壁が設けられていることを特徴とする。
【０００７】
これによれば、本体部に、内筒のフランジ部を囲繞する周壁を形成し、フランジ部の外周を囲繞すれば、このフランジ部を掴みにくくすることができ、これによって、ドアスコープをドアの外側から取り外しにくくできる。
また、前記孔の周りには、前記フランジ部を収納する凹部が形成され、この凹部の側壁が前記周壁であることが望ましい。
【発明の効果】
【０００８】
本発明によれば、ドアの外側からドアスコープを取り外しにくくするとともに、表札等の物品を保持することができる。
【発明を実施するための最良の形態】
【０００９】
以下、図面を参照しながら本発明の実施の形態を説明する。
図１乃至図４に示す第１実施形態において、本発明に係るドアスコープ１は、ドア２の外側から取付けられる内筒３と、この内筒３がはめ込まれる外筒４と、内筒３とドア２によって挟まれて保持される物品保持部材５とを備えている。
内筒３は、円筒状に形成されていて、内部に接眼レンズ６、対物レンズ７を備えている。内筒３の一端部には、対物レンズ７を収容していてドア２の外側に表出するフランジ部８が形成され、他端部側の外周面に雄ねじ部９が形成されている。このフランジ部８は、正面視円形のさい頭円錐台状に形成されており、その側面が雄ねじ部９側に向かって末広がり状のテーパー面となっている。このドアスコープ１は、前記内筒３のフランジ部８とドア２の外面とによって物品保持部材５を挟んで保持するようになっている。
【００１０】
図１乃至図３において、前記フランジ部８の裏側にはボス部１０が形成されており、このボス部１０の外径は、後述する外筒４の外径と同じに形成されている。
外筒４は、円筒状に形成されていて、その内周面に内筒３の雄ねじ部９に螺合される雌ねじ部１１が形成されている。外筒４の一端部には、フランジ部１２が形成されており、このフランジ部１２には、外筒４を回転させるための回転工具（図示せず）を差し込む溝部（凹部）１２ａが形成されている。
物品保持部材５は、金属製であり、板状の本体部１３を備えている。本体部１３は、長方形状とされていて、ドア２に対して縦向きに配置可能とされている。この本体部１３の短辺と長辺の比はおよそ１：１．５〜１．７とされており、いわゆる黄金律（短辺と長辺の比が１：約１．６１８）に近い比を採用して見た目に美しい外観形状となっている。さらに、この長方形状の本体部１３を縦向きに配置することで、長方形で縦向きのドア２とほぼ相似に見えるようにして、見た目の統一感がでるようになっている。
【００１１】
この本体部１３には、内筒３を挿通可能な孔１４が板厚方向貫通状に形成されている。この孔１４は、円形に形成されており、この孔１４の直径は、円筒状の内筒３のボス部１０を挿通できるように、ボス部１０の外径よりもやや大きくされ、そしてフランジ部８の外径よりも小さくされている。
図２、図３において、前記孔１４の周りには、内筒３のフランジ部８を収納する凹部１８が掛止部１５から離間されて形成されている。この凹部１８の側壁（以下、周壁１９という）の壁面は、フランジ部８が収納できるように正面視で円形とされ、前記孔１４と同心状に形成されている。このフランジ部１８が前記凹部１８に収納されると、この凹部１８の周壁１９がフランジ部１８を取り囲む（囲繞する）ことになる。
【００１２】
前記凹部１８は、本体部１３の表面よりも凹んで形成され、その深さ（本体部１３表面から凹部１８底面までの距離）は、内筒３のフランジ部８が凹部１８に収納されたときに、フランジ部８の先端面が本体部１３の表面とほぼ面一になるように設定されていることが望ましい。ここで、「ほぼ面一」とは、フランジ部８の先端面と本体部１３とが面一とされている状態に限らず、フランジ部８の先端面が、本体部１３の表面からやや突出している状態や、この先端面が本体部１３の表面よりも凹部１８内にやや沈んだ状態をも含む意味である。
【００１３】
本体部１３の表面には、例えば表札等の物品を保持するための掛止部１５が外方突出状に設けられている。この掛止部１５は、一端が本体部１３に固定される軸部１６と、軸部１６の他端側の先端部１７に形成された頭部（以下、前記先端部と頭部に共通符号１７を用いる）とを備えている。前記軸部１６は円柱状に形成されており、一端側（基部側）が本体部１３にビス止めされている。前記頭部１７は、さい頭円錐台状に形成されており、前記内筒３のフランジ部８とほぼ相似形に形成されている。
ここで、「ほぼ相似形」とは幾何学的な相似形を含むが、この幾何学的な相似に限らず、例えば、前記頭部１７とフランジ部８とをさい頭円錐台状にして形状を共通化したりというように、単に形状を共通化することをも含む意味である。
【００１４】
このように、掛止部１５の先端部１７を、内筒３のフランジ部８とほぼ相似形に形成することによって、見た目に煩雑な印象を与えることなく、物品保持部材５は全体として統一感のある美しい形状にすることができる。
図２において、前記凹部１８と掛止部１５は、本体部１３の左右方向中央部に形成されており、さらに本体部１３の長手方向に沿って一列（直線状）に配置されている。
このように、凹部１８と掛止部１５を長方形状の本体部１３の中央部で一列に配置することによって、凹部１８と掛止部１５を規則正しく配置して重量バランスがとれ、見た目にも美しい構造にすることができる。
【００１５】
ドアスコープ１をドア２に取り付ける場合には、まず、内筒３のボス部１０を物品保持部材５の本体部１３の孔１４に挿通し、この内筒３の雄ねじ部９が設けられた側の端部を、ドア２に設けられた開口に挿入する。次に、前記開口に挿通された内筒３の雄ねじ部９に外筒４を嵌合させる。そして、外筒４のフランジ部１２に形成された溝部１２ａに回転工具を差し込み、この状態で外筒４を回転させて締め付けることによってドアスコープ１がドア２に固定される。このとき、物品保持部材５の凹部１８には内筒３のフランジ部８が収納されており、物品保持部材５は、このフランジ部８とドア２の表面とによって挟まれた状態で保持される。
【００１６】
上述のように、ドアスコープ１がドア２に取り付けられた状態では、内筒３のフランジ部８が、本体部１３の凹部１８に収納されて周壁１９に覆われており、このためフランジ部８を掴みにくく、ドア２の外側からフランジ部８を回転させて取り外すことが困難になっている。また、フランジ部８の側面はテーパ状に形成されているので、フランジ部８が凹部１８に収納されていることと相まって、より掴み難い構造になっている。したがってドア２の外側からドアスコープ１を取り外すということが困難になり、いわゆるバイパス解錠行為を防止することができるようになる。
【００１７】
さらに、内筒３のフランジ部８が物品保持部材５の凹部１８に収納された状態では、フランジ部８の先端面と本体部１３の表面とがほぼ面一になるため、フランジ部８を掴みにくくなり、これによってもドア２の外側からドアスコープ１を取り外しにくくすることができる。また、このようにほぼ面一にすることによって、フランジ部８と本体部１３とが一体的に設けられることになり、見た目の一体感を表現してドアスコープ１を美しい外観形状にすることができる。
そして、本体部には、掛止部１５が設けられているので、ドアスコープ１は上述のようにバイパス解錠行為を防止し、かつ、例えば表札等の物品等を掛止部１５に掛けて保持することができる。
【００１８】
図５、図６の第２実施形態では、内筒３のボス部１０の形状、および物品保持部材５の本体部１３の孔１４の形状が第１実施形態の場合と異なる。第１実施形態では、本体部１３の孔１４は円形に形成されていたが、第２実施形態では、孔１４は円形に形成されていない。すなわち、孔１４には、本体部１３の長手方向に沿った対の直線状の縁部２０が形成されており、この直線状の縁部２０間には、円弧状の縁部２１が形成されている。
そして、内筒３のボス部１０には、その外周面の一部を切り欠いて、前記孔１４の直線の縁部に係合する対の平坦面２２が形成されている。この平坦面２２は、ボス部１０が前記孔１４に挿通されたときに孔１４の直線状の縁部２０と当接して、内筒３が回転しないように規制する規制面となっている。
【００１９】
本体部１３の裏面には、本体部１３をドアの外面に固定するための接着手段として、両面テープ２３が貼付されている。本体部１３はこの両面テープ２３によってドア２の外面に強固に固着されることになる。
このように物品保持部材５をドア２に固着し、そして上述のようにボス部１０と本体部１３の孔１４を共に非円形に形成することによって、内筒３を回転しないように固定することが可能になる。
これによって、ドアスコープ１を外側から取り外しにくくして、バイパス解錠行為を防止することができるのである。その他の点は第１実施形態と同様の構成であり、同様の作用効果を生じる。
【００２０】
図７の第３実施形態では、ボス部１０には円柱状で前記規制面が設けられておらず、また孔１４は円形に形成されている。そして内筒３のボス部１０と物品保持部材５の孔１４との間にはスペーサ２４が設けられており、この点が他の実施形態と異なる。
このスペーサ２４は、円筒状（環状）に形成されていて、内筒３のボス部１０を挿通可能な挿通孔を有している。
このスペーサ２４の筒心方向の長さは、前記凹部１８の深さよりも短くされて形成されており、スペーサ２４を設けた場合でも、前記内筒３のフランジ部８の外縁が凹部１８に常に収納されるようになっている。
【００２１】
このようにスペーサ２４を設けることによって、物品保持部材５は、回転自在な状態で内筒３に保持されることになるが、物品保持部材５を内筒３まわりに回転させても、内筒３は、この回転による影響をうけることなく回転不能にドア２に固定されている。この場合でも、フランジ部８の外周は物品保持部材５の凹部１８に収納されているため、内筒３をドア２の外側から取り外しにくくなっている。その他の点は他の実施形態と同様の構成であり、同様の作用効果を生じる。
図８の第４実施形態では、フランジ部８を囲繞する周壁１９を本体部１３の表面から外方突出状に形成し、この周壁１９の内側に形成された凹部１８に内筒３のフランジ部８を収納しており、この点が他の実施形態と異なる。
【００２２】
この周壁１９は、前記フランジ部８の外縁形状に対応して円環状に形成されており、この周壁１９内側の凹部１８の底面は、図８に示すように、本体部１３の表面と同じ位置に形成されている。
このように周壁１９を本体部１３の表面から突設し、その内側の凹部１８にフランジ部８を収納することによって、他の実施形態と同様に、フランジ部８を掴みにくくして、ドアスコープ１の取り外しを困難にできるのである。
なお、本発明は上記の実施形態に限らず、種々の変形・変更が可能である。
【００２３】
例えば、第２実施形態で説明した孔１４の形状は、非円形であればどのような形状でもよく、例えば四角形等の多角形状、楕円状等の種々の形状を採用でき、内筒３のボス部１０の外形を孔１４に合うような形状にすればよい。
また、第１実施形態で説明した物品保持部材５の裏面に両面テープ２３を貼付してドア２の外面に固着するようにしてもよい。
物品保持部材５をドア２の外面に固着する手段としては、両面テープ２３に限らず、接着剤等の種々の接着手段を採用してもよい。
【００２４】
物品保持部材５は、長方形状の本体部１３をドア２に対して横向きに配置するようにしてもよく、また本体部１３を正方形状に形成してもよい。
【図面の簡単な説明】
【００２５】
【図１】本発明の第１実施形態を示すドアスコープ（物品保持部材）の縦断面図である。
【図２】同ドアスコープ（物品保持部材）の正面図である。
【図３】同ドアスコープ（物品保持部材）の斜視図である。
【図４】同物品保持部材の側面図である。
【図５】本発明の第２実施形態を示すドアスコープ（物品保持部材）の縦断面図である。
【図６】同ドアスコープ（物品保持部材）の正面図である。
【図７】本発明の第３実施形態を示すドアスコープ（物品保持部材）の縦断面図である。
【図８】本発明の第４実施形態を示すドアスコープ（物品保持部材）の縦断面図である  。
【符号の説明】
【００２６】
１    ドアスコープ
２    ドア
３    内筒
４    外筒
５    物品保持部材
８    フランジ部
９    雄ねじ部
１１    雌ねじ部
１３    本体部
１４    孔
１５    掛止部
１８    凹部
１９    周壁
【図１】
2004183478.tif 000003
【図２】
2004183478.tif 000004
【図３】
2004183478.tif 000005
【図４】
2004183478.tif 000006
【図５】
2004183478.tif 000007
【図６】
2004183478.tif 000008
【図７】
2004183478.tif 000009
【図８】
2004183478.tif 000010